(57)【要約】      （修正有）【課題】ＵＡＶ（無人航空機）空中写真測量やＵＡＶレーザー測量の基準となる対空標識の設置において、地面から測量基準杭が突出している場合や池や河川等の水面に設置する場合に、簡単に設置できる対空標識を提供する。【解決手段】対空標識は、プレート板０１の下面に、杭上部の形状の杭形状孔０５を設けたスポンジ０４を接合させた複層構造で、スポンジ０４には、水より比重が軽い独立発泡スポンジを使用した複層対空標識である。杭上部に対空標識が簡単に設置および撤去ができる。水面設置では、ロープを複層対空標識に装着することで、速やかに設置および撤去ができる。【選択図】図２
0003231880.tif 000002
【実用新案登録請求の範囲】
【請求項１】
プレート板と該プレート板の下面に、孔を設けたスポンジを接合させたことを特徴とする対空標識。
【請求項２】
プレート板と該プレート板の下面に、水より比重が軽い独立発砲スポンジを接合させたことを特徴とする対空標識。
【請求項３】
上記プレート板の表面に標示用塗装または標示フィルムを貼り付けられこと特徴とする請求項１および請求権２に記載の対空標識。
【請求項４】
上記プレート板に孔を設けたこと特徴とする請求項１および請求権２に記載の対空標識。
【考案の詳細な説明】
【技術分野】
【０００１】  本考案は、無人航空機（ＵＡＶ：Ｕｎｍａｎｎｅｄ  Ａｅｒｉａｌ  Ｖｅｈｉｃｌｅ  ：通称ドローン）による測量の対空標識に関する。
【背景技術】
【０００２】  ＵＡＶを用いた測量にはＵＡＶ空中写真測量やＵＡＶレーザー測量が実施されている。【０００３】  ＵＡＶ空中写真測量は、空中三角測量に必要となる水平位置および標高の基準となる標定点である対空標識および水平位置および標高の精度を検証する検証点である対空標識を設置し、上空からＵＡＶにて写真撮影をおこなう測量である。【０００４】  ＵＡＶレーザー測量は、ＧＮＳＳ（全球測位衛星システム）を使って位置を捉え、ＩＭＵ（慣性計測装置）でレーザーを発射した方向を計算して３次元点群データを作成する。３次元点群データの調整（精度の確保）するために、計測範囲内に調整点である対空標識を設置する必要がある。【０００５】  対空標識の位置は、正確な水平位置および標高を測量した点である必要がある。
【先行技術文献】
【特許文献】
【０００６】
【特許文献１】特許第６６９５０８５号
【特許文献２】特開２０２０−１１８５８０
【特許文献３】実用新案登録第３２１２１０２号公報
【考案の概要】
【考案が解決しようとする課題】
【０００７】  ＵＡＶ空中写真測量やＵＡＶレーザー測量の基準点が杭の場合、地面と同じ高さに挿入されてなく、地面から杭が突出している場合、杭の上部天端に平面形状の対空標識を設置する場合、不安定な状態となり、対空標識の設置に、時間と手間がかかる。【０００８】  上記のような、地面から杭が突出している場合でも、対空標識を設置できるように杭の頭部を特殊な形状をした杭も考案されている。【０００９】  対空標識を池や河川等の水面に設置するために、対空標識の下部に浮き構造を設けた対空標識も考案されている。【００１０】  本考案は、上記事情に鑑みて創案されたもので、基準杭が地面と同じ高さに挿入されてなく、地面から上部に杭が突出している場合、杭の頭部が特殊な形状をした杭を使用しなくても、従来の杭の上部に対空標識を時間と手間をかけずに、簡単に設置できる対空標識の提供ことを目的とし、また、対空標識を池や河川等の水面上に設置する場合、対空標識の下部に複雑な浮き構造を設けなくても、簡単な構造で水面上に設置できる対空標識を提供することを目的としている。
【課題を解決するための手段】
【００１１】  上記の目的を達成するために、本考案は、平面形状の対空標識板の下面に、杭上部の形状の孔を設けたスポンジを接合させた複層対空標識である。スポンジは、水より比重が軽い独立発泡スポンジを使用した複層対空標識となってる。
【考案の効果】
【００１２】  本考案に係る複層対空標識は、基準杭が地面と同じ高さに挿入されてなく、地面から杭が突出している場合、杭の上部の形状に合わせたスポンジの孔を杭の上部に挿入させ対空標識を設置ができるため、時間と手間をかけずに簡単に設置ができ、簡単に撤去もできる。【００１３】  また、本考案に係る複層対空標識を池や河川等の水面上に設置する場合、対空標識板の下面に接合された水より比重が軽い独立発泡スポンジの浮力により、水面に簡単に浮くことができ、複層対空標識にロープ等を接続すれば、設置や撤去が簡単にできるのである。
【図面の簡単な説明】
【００１３】
【図１】本考案の実施形態を示す複層対空標識における上面平面図
【図２】本考案の実施形態を示す複層対空標識における下面平面図
【図３】本考案の実施形態を示す複層対空標識の断面図
【図４】同複層対空標識における杭に複層対空標識を装着した場合の断面図
【図５】同複層対空標識における水面に複層対空標識を設置した場合の断面図
【考案を実施するための形態】
【００１４】  以下、本考案の形態を図１〜図５に基づいて説明する。図１から図３は、本考案の複層対空標識をしめし、図４、図５については、本考案の複層対空標識の使用例をしめす。
【００１５】  図１においては、本考案の複層対空標識上面平面図で、プレート板０１に対空標示０３が標示され、プレート板０１の中心に孔０２を設けてある。点線部分はスポンジ０４に設けた杭形状孔０５である。
【００１６】    図２は、本考案の複層対空標識下面平面図で、プレート板０１中心に孔０２を設けたプレート板０１に、杭形状孔０５を設けられたスポンジ０４を接合されている。
【００１７】  図３においては、本考案の複層対空標識の断面図でプレート板０１中心に孔０２を設け、プレート板０１表面に、対空標示０３を標示し、プレート板０１下面に杭形状孔０５を設けられたスポンジ０４を接合されている。
【００１８】  図４は、本考案の複層対空標識における杭に複層対空標識を装着した場合の断面図で、本考案の複層対空標識を地面０７から突出している杭０６に装着した場合を示している。
【００１９】  本考案の複層対空標識のプレート板０１下部に接合された、杭形状孔０５を設けられたスポンジ０４を、地面０７から突出している杭０６の頭部に、挿入した場合である。時間と手間をかけずに簡単に設置ができ、簡単に撤去もできる。
【００２０】  図５は、本考案の複層対空標識における水面に複層対空標識を設置した場合の断面図で、本考案の複層対空標識を水面０８に浮いている状況を示している。
【００２１】  本考案の複層対空標識のプレート板０１下部に接合されたスポンジ０４で構成されている。水より比重が軽い独立発泡スポンジの浮力により水面０８に簡単に浮くことができる。複層対空標識にロープ等を接続すれば、設置や撤去が簡単にできる。
【００２２】  上記の図１〜図６について説明したように、地面０７から杭０６が突出している場合、杭０６の上部天端に平面形状の対空標識を設置する場合、不安定な状態となりが、杭０６の上部の形状に合わせたスポンジ０４の杭形状孔０５を杭０６の上部に挿入させ対空標識を設置ができる複層対空標識で時間と手間をかけずに簡単に設置ができ、簡単に撤去もできる。
【００２３】また、スポンジ０４を水より比重が軽い独立発泡スポンジを使用することにより、対空標識を池や河川等の水面０８に設置できるようになり、複層対空標識にロープ等を接続すれば、設置や撤去が簡単にできる。
【産業上の利用可能性】
【００２４】  本考案は、ＵＡＶ空中写真測量やＵＡＶレーザー測量で利用される
【符号の説明】
【００３０】０１  プレート板
０２  孔
０３  対空標示
０４  スポンジ
０５  杭形状孔
０６  杭
０７  地面
０８  水面
【図１】
0003231880.tif 000003
【図２】
0003231880.tif 000004
【図３】
0003231880.tif 000005
【図４】
0003231880.tif 000006
【図５】
0003231880.tif 000007